(57)【特許請求の範囲】
【請求項１】
印刷ジョブの実行時に、印刷された記録用紙の出力枚数をカウントしてその出力枚数を管理する機能を持つ画像形成装置であって、
ユーザを認証するためのユーザ認証手段と、
前記ユーザ認証手段によって認証されたユーザからの指示に応じて、印刷ジョブを実行するためのジョブ実行手段と、
印刷ジョブの実行による出力枚数の負担を分担するユーザを、前記ジョブ実行手段による印刷ジョブの実行前に予め設定するためのユーザ設定手段と、
前記ユーザ認証手段によって認証されたユーザ及び前記ユーザ設定手段によって設定されたユーザに対して印刷された記録用紙の出力枚数をカウントするよう、分割して当該出力枚数をカウントする出力枚数カウント手段と、
前記ユーザ認証手段によって認証されたユーザ及び前記ユーザ設定手段によって設定されたユーザに対してカウントの重み付けを設定するための重み付け設定手段とを含み、
前記出力枚数カウント手段は、前記重み付け設定手段によって設定された重み付けに応じて、分割して当該出力枚数をカウントするための重み付けカウント手段を含む、画像形成装置。
【請求項２】
印刷ジョブの実行時に、印刷された記録用紙の出力枚数をカウントしてその出力枚数を管理する機能を持つ画像形成装置であって、
ユーザを認証するためのユーザ認証手段と、
前記ユーザ認証手段によって認証されたユーザからの指示に応じて、印刷ジョブを実行するためのジョブ実行手段と、
印刷ジョブの実行による出力枚数の負担を分担するユーザを、前記ジョブ実行手段による印刷ジョブの実行前に予め設定するためのユーザ設定手段と、
前記ユーザ認証手段によって認証されたユーザ及び前記ユーザ設定手段によって設定されたユーザに対して印刷された記録用紙の出力枚数をカウントするよう、分割して当該出力枚数をカウントする出力枚数カウント手段と、
前記ユーザ認証手段によって認証されたユーザ及び前記ユーザ設定手段によって設定されたユーザに対してカウントの優先順位を設定するための優先順位設定手段とを含み、
前記出力枚数カウント手段は、前記優先順位設定手段によって設定された優先順位にしたがい、前記出力枚数を、前記ユーザ認証手段によって認証されたユーザ及び前記ユーザ設定手段によって設定されたユーザに対して順にカウントするための優先順カウント手段を含む、画像形成装置。
【請求項３】
前記ユーザ設定手段は、前記ユーザ認証手段によってユーザの認証が実行された後に当該ユーザ認証手段によって他のユーザが認証されたことに応答して、当該他のユーザを出力枚数の負担を分担するユーザとして設定するための設定手段を含む、請求項１又は請求項２に記載の画像形成装置。
【請求項４】
前記画像形成装置は、ユーザの指示入力を受付けるための指示受付手段をさらに含み、
前記ユーザ設定手段は、前記ユーザ認証手段によって認証されたユーザからの他のユーザを指定する入力を前記指示受付手段が受付けたことに応答して、指定された前記他のユーザを出力枚数の負担を分担するユーザとして設定するための設定手段を含む、請求項１又は請求項２に記載の画像形成装置。
【請求項５】
前記画像形成装置はさらに、
前記ユーザ認証手段によって認証されるユーザ毎に印刷処理の制限枚数を記憶するための制限枚数記憶手段と、
前記ジョブ実行手段による印刷ジョブの実行時に、前記ユーザ認証手段によって認証されたユーザ及び前記ユーザ設定手段によって設定されたユーザのうちのいずれかのユーザにおいて、出力枚数のカウント数が前記制限枚数記憶手段に記憶された制限枚数に達したことを検出するための検出手段と、
前記いずれかのユーザのカウント数が前記制限枚数に達したことを前記検出手段が検出したことに応答して、実行されている印刷ジョブを停止するためのジョブ停止手段とを含む、請求項１〜請求項４のいずれかに記載の画像形成装置。
【請求項６】
前記画像形成装置はさらに、
前記ユーザ認証手段によって認証されるユーザ毎に印刷処理の制限枚数を記憶するための制限枚数記憶手段と、
前記ジョブ実行手段による印刷ジョブの実行時に、前記ユーザ認証手段によって認証されたユーザ及び前記ユーザ設定手段によって設定されたユーザのうちのいずれかのユーザにおいて、出力枚数のカウント数が前記制限枚数記憶手段に記憶された制限枚数に達したことを検出するための検出手段とを含み、
前記出力枚数カウント手段は、前記いずれかのユーザのカウント数が前記制限枚数に達したことを前記検出手段が検出したことに応答して、前記制限枚数に達したユーザを除いたユーザに対して出力枚数をカウントするためのカウント手段を含む、請求項１又は請求項２に記載の画像形成装置。
【発明の詳細な説明】
【技術分野】
【０００１】
本発明は、画像形成装置に関し、特に、ユーザ毎に出力枚数を管理する機能を持つ画像形成装置に関する。
【背景技術】
【０００２】
情報処理装置の１種として、多くの事業所（会社、事務所等）に画像形成装置（代表的にはコピー機）が導入されている。このような画像形成装置の１つである複合機（ＭＦＰ（Ｍｕｌｔｉｆｕｎｃｔｉｏｎ  Ｐｅｒｉｐｈｅｒａｌ））のように、コピーモード、ネットワーク対応のプリントモード、及びスキャナモードのような複数のモードを有するものも多くなってきている。
【０００３】
こうした画像形成装置のなかには、セキュリティを確保したり、ユーザ毎の使用状況を管理したりするために、ユーザ認証を行なう機能を備えたものがある。ユーザ認証機能が有効にされている場合、ユーザは画像形成装置にログインした後に印刷ジョブを実行できる。印刷ジョブの実行時には、印刷された記録用紙の出力枚数がカウントされて管理される。無駄な印刷出力を抑制等するために印刷制限枚数が設定されることがある。出力枚数が印刷制限枚数に達すると、当該ユーザは、画像形成装置を用いてコピー印刷等の印刷出力を行なうことができなくなる。
【０００４】
こうした問題に対して、後掲の特許文献１は、下位部門と上位部門とからなる部門の印刷枚数を管理する画像形成装置を開示する。特許文献１では、下位部門及び上位部門に対してそれぞれ印刷制限枚数が設定されている。画像形成装置は、下位部門での印刷制限枚数を超過した際には利用ができなくなる一方、その場合でも上位部門での利用枚数が制限値以内であれば上位部門の許可を得て下位部門が印刷を再開することを可能とする。
【０００５】
後掲の特許文献２は、自部門での印刷枚数が印刷制限枚数に達した場合に、他部門の印刷枚数を借り入れて印刷を継続する画像形成装置を提案する。特許文献２では、上記特許文献１とは異なり、上位・下位部門の枠を超えての印刷枚数の貸借を行なって印刷を継続することが可能となる。
【０００６】
後掲の特許文献３は、ユーザによって印刷指示が与えられた時に印刷枚数の累計値が印刷制限枚数を超過する場合でも印刷を可能とする画像形成装置を開示する。特許文献３では、印刷枚数の累計値が印刷制限枚数を超過するとユーザによって指示された印刷ジョブが保留状態とされ、当該印刷を実行する権限を有する他のユーザからの許可が得られると保留された印刷ジョブの実行が再開される。
【先行技術文献】
【特許文献】
【０００７】
【特許文献１】特開２００６−１２３２９０号公報
【特許文献２】特開２００９−２８９３１号公報
【特許文献３】特開２０１０−６１４０１号公報
【発明の概要】
【発明が解決しようとする課題】
【０００８】
会議等において参加者に資料を配付する場合、通常、会議等の主催者が参加人数分の資料を準備する。資料の準備には画像形成装置が用いられる。ユーザ認証機能が有効とされている画像形成装置において、主催者ユーザが人数分の資料を準備すると、その分の出力枚数が主催者ユーザにカウントされる。そのため、主催者ユーザの印刷枚数（利用枚数）が大幅に増加する。主催者ユーザは、会議等に参加する他のユーザのための印刷カウントをも負担することになるため出力枚数（カウント）の負担が大きい。自由に参加できる講習会等の場合は参加人数を正確に把握することが困難であるため、この場合は出力枚数（カウント）の負担がさらに大きい。
【０００９】
特許文献１〜特許文献３に記載の技術は、印刷制限枚数に達した場合でも印刷を実行できるものの、一部のユーザに出力枚数の負担が掛かるのを抑制することは困難である。
【００１０】
本発明は、上記のような課題を解決するためになされたものであり、本発明の１つの目的は、一部のユーザに出力枚数の負担が掛かるのを抑制することが可能な画像形成装置を提供することである。
【課題を解決するための手段】
【００１１】
本発明の一局面に係る画像形成装置は、印刷ジョブの実行時に、印刷された記録用紙の出力枚数をカウントしてその出力枚数を管理する機能を持つ画像形成装置である。この画像形成装置は、ユーザを認証するためのユーザ認証手段と、ユーザ認証手段によって認証されたユーザからの指示に応じて、印刷ジョブを実行するためのジョブ実行手段と、印刷ジョブの実行による出力枚数の負担を分担するユーザを、ジョブ実行手段による印刷ジョブの実行前に予め設定するためのユーザ設定手段と、ユーザ認証手段によって認証されたユーザ及びユーザ設定手段によって設定されたユーザに対して印刷された記録用紙の出力枚数をカウントするよう、分割して当該出力枚数をカウントする出力枚数カウント手段とを含む。
【００１２】
画像形成装置は、ユーザ認証手段によって認証されたユーザからの指示に応じて、印刷ジョブを実行する。印刷ジョブを実行する前には、出力枚数の負担を分担するユーザが予め設定される。印刷ジョブが実行されると、認証されたユーザ及び設定されたユーザに対して出力枚数がカウントされるよう、分割して出力枚数をカウントする。印刷された記録用紙の出力枚数は、認証されたユーザに対してのみカウントされるのではなく、認証されたユーザ及び設定されたユーザに対してカウントされる。そのため、出力枚数のカウントは、認証されたユーザ及び設定されたユーザに分割して付加される。出力枚数の負担が認証されたユーザ及び設定されたユーザに分散されるため、認証されたユーザにのみ出力枚数の負担が掛かるのを抑制できる。
【００１３】
好ましくは、ユーザ設定手段は、ユーザ認証手段によってユーザの認証が実行された後に当該ユーザ認証手段によって他のユーザが認証されたことに応答して、当該他のユーザを出力枚数の負担を分担するユーザとして設定するための設定手段を含む。
【００１４】
より好ましくは、画像形成装置は、ユーザの指示入力を受付けるための指示受付手段をさらに含み、ユーザ設定手段は、ユーザ認証手段によって認証されたユーザからの他のユーザを指定する入力を指示受付手段が受付けたことに応答して、指定された他のユーザを出力枚数の負担を分担するユーザとして設定するための設定手段を含む。
【００１５】
さらに好ましくは、画像形成装置は、ユーザ認証手段によって認証されたユーザ及びユーザ設定手段によって設定されたユーザに対してカウントの重み付けを設定するための重み付け設定手段をさらに含み、出力枚数カウント手段は、重み付け設定手段によって設定された重み付けに応じて、分割して当該出力枚数をカウントするための重み付けカウント手段を含む。
【００１６】
さらに好ましくは、画像形成装置はさらに、ユーザ認証手段によって認証されるユーザ毎に印刷処理の制限枚数を記憶するための制限枚数記憶手段と、ジョブ実行手段による印刷ジョブの実行時に、ユーザ認証手段によって認証されたユーザ及びユーザ設定手段によって設定されたユーザのうちのいずれかのユーザにおいて、出力枚数のカウント数が制限枚数記憶手段に記憶された制限枚数に達したことを検出するための検出手段と、いずれかのユーザのカウント数が制限枚数に達したことを検出手段が検出したことに応答して、実行されている印刷ジョブを停止するためのジョブ停止手段とを含む。
【００１７】
さらに好ましくは、画像形成装置はさらに、ユーザ認証手段によって認証されるユーザ毎に印刷処理の制限枚数を記憶するための制限枚数記憶手段と、ジョブ実行手段による印刷ジョブの実行時に、ユーザ認証手段によって認証されたユーザ及びユーザ設定手段によって設定されたユーザのうちのいずれかのユーザにおいて、出力枚数のカウント数が制限枚数記憶手段に記憶された制限枚数に達したことを検出するための検出手段とを含み、出力枚数カウント手段は、いずれかのユーザのカウント数が制限枚数に達したことを検出手段が検出したことに応答して、制限枚数に達したユーザを除いたユーザに対して出力枚数をカウントするためのカウント手段を含む。
【００１８】
さらに好ましくは、画像形成装置は、ユーザ認証手段によって認証されたユーザ及びユーザ設定手段によって設定されたユーザに対してカウントの優先順位を設定するための優先順位設定手段をさらに含み、出力枚数カウント手段は、優先順位設定手段によって設定された優先順位にしたがい、出力枚数を、ユーザ認証手段によって認証されたユーザ及びユーザ設定手段によって設定されたユーザに対して順にカウントするための優先順カウント手段を含む。
【発明の効果】
【００１９】
以上より、本発明によれば、一部のユーザに出力枚数の負担が掛かるのを抑制することが可能な画像形成装置を得ることができる。
【図面の簡単な説明】
【００２０】
【図１】本発明の第１の実施の形態に係る画像形成装置のハードウェア構成を示す制御ブロック図である。
【図２】図１に示す画像形成装置で実行されるプログラムの制御構造を示すフローチャートである。
【図３】ネットワークプリント画面の一例を示す図である。
【図４】コピー画面の一例を示す図である。
【図５】カウント対象ユーザを設定する設定画面の一例を示す図である。
【図６】図１に示す画像形成装置で実行される分割カウントを説明するための図である。
【図７】従来の画像形成装置で実行されるカウント方法を説明するための図である。
【図８】本発明の第２の実施の形態に係る画像形成装置で表示される設定項目画面の一例を示す図である。
【図９】カウント対象ユーザを設定する設定画面の一例を示す図である。
【図１０】入力画面の一例を示す図である。
【図１１】カウント対象ユーザを設定する設定画面の一例を示す図である。
【図１２】カウント対象ユーザを設定する設定画面の一例を示す図である。
【図１３】本発明の第３の実施の形態に係る画像形成装置で表示される設定画面（カウント対象ユーザを設定する設定画面）の一例を示す図である。
【図１４】重み付け設定画面の一例を示す図である。
【図１５】本発明の第４の実施の形態に係る画像形成装置で表示される設定項目画面の一例を示す図である。
【図１６】本発明の第５の実施の形態に係る画像形成装置で表示される設定項目画面の一例を示す図である。
【図１７】カウント対象ユーザを設定する設定画面の一例を示す図である。
【発明を実施するための形態】
【００２１】
以下の実施の形態では、同一の部品には同一の参照番号を付してある。それらの機能及び名称も同一である。したがって、それらについての詳細な説明は繰返さない。
【００２２】
（第１の実施の形態）
図１を参照して、本実施の形態に係る画像形成装置１００は、コピー機能、及びネットワーク対応のプリント機能等を備える複合機（ＭＦＰ）である。この画像形成装置１００は、レーザー光を露光に利用する、所謂レーザー方式（電子写真方式）の印刷機能を備える。しかし、他の形式の印刷機能を備えたものであってもよい。
【００２３】
画像形成装置１００はユーザ認証を行なう機能を備える。認証されたユーザは当該画像形成装置１００を操作してジョブを実行できる。画像形成装置１００は印刷ジョブの実行時に、印刷された記録用紙の出力枚数をカウントするカウント機能を備えており、カウントした出力枚数を管理する。
【００２４】
本実施の形態に係る画像形成装置１００は、出力枚数のカウントを、印刷ジョブを実行するユーザ（以下「ジョブ実行ユーザ」と呼ぶ場合がある。）を含む複数のユーザに分割して行なう分割カウント機能をさらに備える。ジョブ実行ユーザを除く、出力枚数をカウントする対象となるユーザ（以下「カウント対象ユーザ」と呼ぶ場合がある。）は、印刷ジョブの実行前に予め設定される。
【００２５】
［ハードウェア構成］
画像形成装置１００は、制御部１１０、操作ユニット１２０、原稿読取部１３０、画像処理部１４０、画像形成部１５０、給紙部１６０、ユーザ認証装置１７０、及びネットワークインターフェイス（以下「ネットワークＩ／Ｆ」と呼ぶ。）１８０を含む。
【００２６】
制御部１１０は、実質的にコンピュータであって、画像形成装置１００全体を制御するＣＰＵ（Ｃｅｎｔｒａｌ  Ｐｒｏｃｅｓｓｉｎｇ  Ｕｎｉｔ）１１２、プログラム等を記憶するためのＲＯＭ（Ｒｅａｄ  Ｏｎｌｙ  Ｍｅｍｏｒｙ）１１４、揮発性の記憶装置であるＲＡＭ（Ｒａｎｄｏｍ  Ａｃｃｅｓｓ  Ｍｅｍｏｒｙ）１１６、及び記憶装置１１８を含む。記憶装置１１８は、通電が遮断された場合にもデータを保持する不揮発性記憶装置であり、例えばハードディスクドライブ（ＨＤＤ）及びフラッシュメモリを含む。ＣＰＵ１１２には、ＢＵＳライン１９０が接続されており、このＢＵＳライン１９０には、ＲＯＭ１１４、ＲＡＭ１１６及び記憶装置１１８が電気的に接続される。
【００２７】
ＣＰＵ１１２は、操作ユニット１２０等からの指示に応じて各種コンピュータプログラムを実行することによって、画像形成装置１００の各部の動作及びパーソナルコンピュータ（ＰＣ）等の外部機器との通信等の所望の処理を実行する。上記の各種コンピュータプログラムは、予めＲＯＭ１１４又は記憶装置１１８に記憶されており、所望の処理の実行時において、当該ＲＯＭ１１４又は記憶装置１１８から読出されてＲＡＭ１１６に転送される。ＣＰＵ１１２は、ＣＰＵ１１２内の図示しないプログラムカウンタと呼ばれるレジスタに格納された値によって指定される、ＲＡＭ１１６内のアドレスからプログラムの命令を読出し、解釈する。ＣＰＵ１１２はまた、読出された命令によって指定されるアドレスから演算に必要なデータを読出し、そのデータに対し命令に対応する演算を実行する。実行の結果も、ＲＡＭ１１６、記憶装置１１８及びＣＰＵ１１２内のレジスタ等の、命令によって指定されるアドレスに格納される。
【００２８】
ＲＯＭ１１４又は記憶装置１１８には、画像形成装置１００の一般的な動作等を実現するためのコンピュータプログラムとともに、複数のユーザに出力枚数のカウントを分割する分割カウントを実現するためのコンピュータプログラムが記憶される。このコンピュータプログラムは、ネットワークＩ／Ｆ１８０を介して、外部の情報処理装置等から提供される。なお、このコンピュータプログラムは、そのコンピュータプログラムが記録された、例えばＤＶＤ等の記憶媒体によって提供されてもよい。すなわち、例えばコンピュータプログラムの記録媒体としてのＤＶＤが、画像形成装置１００内に内蔵されるＤＶＤドライブ（図示せず。）に装着され、そのＤＶＤからコンピュータプログラムが読出されて記憶装置１１８にインストールされてもよい。記憶装置１１８は、他に、画像データ等を含む各種データを記憶する。
【００２９】
ＢＵＳライン１９０には、さらに、操作ユニット１２０、原稿読取部１３０、画像処理部１４０、画像形成部１５０、給紙部１６０、ユーザ認証装置１７０、及びネットワークＩ／Ｆ１８０が電気的に接続される。
【００３０】
操作ユニット１２０はユーザによる操作を受付ける。この操作ユニット１２０は、タッチパネルディスプレイ１２２を含む。タッチパネルディスプレイ１２２は、液晶パネル等で構成された表示パネル１２４と、表示パネル１２４の上に配置され、タッチされた位置を検出するタッチパネル１２６とを含む。表示パネル１２４は、画像形成装置１００の状態及び各種処理の状態に関する情報等の各種情報をユーザに提供する。このタッチパネルディスプレイ１２２は、ユーザに対して対話的な操作インターフェイス（ＵＩ）を提供する。この対話的な操作インターフェイスは、タッチパネル１２６から画像形成装置１００全体の動作に対するユーザの指示を受付け、その指示の内容を表示パネル１２４に表示するとともに、その指示に応じた制御信号を制御部１１０等に対して出力する。
【００３１】
原稿読取部１３０は、スキャナ及びＣＣＤ（Ｃｈａｒｇｅ−Ｃｏｕｐｌｅｄ  Ｄｅｖｉｃｅ）ラインセンサ（以上いずれも図示せず。）を含む。スキャナは、原稿載置台上に載置された原稿の画像表面に対し光源（図示せず。）から光を照射することによって得られる反射光像をＣＣＤラインセンサ上に結像させ、光源を移動させながら原稿をスキャンする。ＣＣＤラインセンサは、結像した反射光像を順次光電変換して画像データとして画像処理部１４０に対して出力する。すなわち、原稿読取部１３０は、原稿のコピー時又はスキャン時に、原稿載置台に載置される原稿からスキャナによって画像情報を読取り、読取った画像情報をＣＣＤラインセンサによって電気信号に変換して画像データとして画像処理部１４０に対して出力する。
【００３２】
画像処理部１４０は、ＭＰＵ（Ｍｉｃｒｏ  Ｐｒｏｃｅｓｓｉｎｇ  Ｕｎｉｔ、図示せず。）を含む。画像処理部１４０は、原稿読取部１３０、又は、情報処理装置等から受信した画像データに対して、例えば、ラスタライズ処理等の所定の画像処理を含む各種処理を施して所定の階調の印刷データを作成し、画像形成部１５０に対して出力する。
【００３３】
画像形成部１５０は、画像データによって示される画像をカラー又は単色で記録用紙に印刷するものであって、例えば、感光体ドラム、帯電装置、レーザースキャンユニット（ＬＳＵ）、現像装置、転写装置、クリーニング装置、定着装置、及び除電装置等を備えている。画像形成部１５０には、例えば、搬送路が設けられており、給紙部１６０から給紙されてきた記録用紙が搬送路に沿って搬送される。
【００３４】
給紙部１６０は、複数枚（例えば約５００枚）の記録用紙を収納可能なカセットトレイ（図示せず。）を含む。給紙部１６０は、カセットトレイに収納された記録用紙を１枚ずつ引出して記録用紙を画像形成部１５０の搬送路へと送り出す。画像形成部１５０の搬送路に沿って記録用紙が搬送されている途中で、記録用紙が感光体ドラムと転写装置との間を通過し、さらに定着装置を通過して、記録用紙に対する印刷が行なわれる。
【００３５】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００３６】
定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は排紙トレイに排出される。
【００３７】
ユーザ認証装置１７０は、ＣＰＵ１１２の制御の下で、ユーザに対して認証処理を実行する。ユーザ認証装置１７０は、認証用カードに記憶されている情報を読取るカード読取部１７２を含む。認証用カードは、例えばＩＣカード等の情報を記憶することが可能なカードであって、画像形成装置１００を利用するユーザに配布されている。認証用カードには当該認証用カードを所持するユーザを特定するユーザＩＤが予め記憶されている。カード読取部１７２は、ユーザによって認証用カードがかざされると、当該認証用カードに記憶されたユーザ情報を読取る。ユーザ認証装置１７０は、カード読取部１７２が読取ったユーザ情報に基づいて、認証処理を行なう。
【００３８】
ネットワークＩ／Ｆ１８０は、ネットワーク５０とのインターフェイスをとる。画像形成装置１００は、このネットワークＩ／Ｆ１８０を介して、ネットワーク５０上の情報処理装置等と、所定の通信プロトコルにしたがったデータ通信を行なうことができる。画像形成装置１００は、ネットワークＩ／Ｆ１８０を介して、ＰＣ等から印刷ジョブ等の各種処理の実行を命令する命令信号を受信できる。
【００３９】
［ソフトウェア構成］
図２を参照して、複数のユーザに分割して出力枚数をカウントする処理を行なうために、画像形成装置１００で実行されるコンピュータプログラムの制御構造について説明する。
【００４０】
このプログラムは、ユーザによるログイン操作を受付けたことに応じて開始する。このプログラムは、ユーザ認証が正常に行なわれたか否か、すなわちユーザがログインしたか否かを判定し、ユーザがログインするまで待機するステップＳ１０００と、ステップＳ１０００において、ユーザがログインしたと判定された場合に実行され、カウント分割設定がオンであるか否かを判定し、判定結果に応じて制御の流れを分岐させるステップＳ１０１０とを含む。
【００４１】
画像形成装置１００は、印刷ジョブを実行するモードとして、例えばネットワークプリントモード及びコピーモードを持つ。ネットワークプリントモードは、サーバ装置（図示せず。）に保存されている印刷ファイル（画像データ）をネットワーク５０を介して取得し、取得した画像データを用いて印刷処理を実行するモードである。コピーモードは、コピー印刷を実行するモードである。
【００４２】
図３を参照して、ネットワークプリントモードが選択されると、タッチパネルディスプレイ１２２にネットワークプリント画面２００が表示される。ネットワークプリント画面２００は、サーバ装置に保存されている印刷ファイルを表示する領域２１０、保存されている印刷ファイルを選択する際にチェックが入れられるチェックボックス２２０、選択された印刷ファイルを印刷するための「印刷」キー２３０、印刷設定を行なうための「印刷設定」キー２４０、及び分割カウントを実行するための「分割カウント」キー２５０を含む。「印刷設定」キー２４０は、例えば印刷部数等を設定するためのキーである。
【００４３】
図４を参照して、コピーモードが選択されると、タッチパネルディスプレイ１２２にコピー画面３００が表示される。コピー画面３００は、コピー印刷を開始するための「スタート」キー３１０、及び分割カウントを実行するための「分割カウント」キー３２０を含む。
【００４４】
図２のステップＳ１０１０では、ネットワークプリントモードにおける「分割カウント」キー２５０、又はコピーモードにおける「分割カウント」キー３２０が操作されると、カウント分割設定がオンであると判定される。
【００４５】
再び図２を参照して、このプログラムはさらに、ステップＳ１０１０において、カウント分割設定がオンであると判定された場合に実行され、カウント対象ユーザを設定するステップＳ１０２０と、ステップＳ１０２０の後に実行され、カウント対象ユーザの設定が完了したか否かを判定し、判定結果に応じて制御の流れを分岐させるステップＳ１０３０とを含む。ステップＳ１０３０において、カウント対象ユーザの設定が完了していないと判定された場合は、制御はステップＳ１０２０に戻る。
【００４６】
「分割カウント」キー２５０又は「分割カウント」キー３２０が操作されると、画面は図５に示す設定画面４００に遷移する。図５を参照して、設定画面４００は、ジョブ実行ユーザ（ログインユーザ）を表示する領域４１０、設定されたユーザ（カウント対象ユーザ）を表示する領域４２０、及び「終了」キー４３０を含む。カード読取部１７２に認証用カードがかざされると、カード読取部１７２が認証用カードのユーザ情報を読取り、読取ったユーザ情報に対応するユーザがカウント対象ユーザとして設定される。領域４２０には、設定されたカウント対象ユーザのユーザ名とともに「削除」キーが表示される。「削除」キーは設定されたカウント対象ユーザに対応して表示される。「削除」キーが操作されると、操作された「削除」キーに対応するユーザがカウント対象ユーザから削除される。すなわち、カウント対象ユーザの設定が取消される。「終了」キー４３０が操作されると、カウント対象ユーザの設定が完了する。設定が完了すると、画面は元の画面（ネットワークプリント画面２００又はコピー画面３００）に戻る。
【００４７】
再び図２を参照して、このプログラムはさらに、ステップＳ１０３０において、カウント対象ユーザの設定が完了したと判定された場合に実行され、ユーザの操作に応じて、印刷ジョブ（分割カウントジョブ）を実行するステップＳ１０４０と、ステップＳ１０４０の後に実行され、ジョブ実行ユーザ及びカウント対象ユーザに対して分割カウントを実行するステップＳ１０５０と、ステップＳ１０５０の後に実行され、印刷ジョブが完了したか否かを判定し、判定結果に応じて制御の流れを分岐させるステップＳ１０６０とを含む。ステップＳ１０６０において、印刷ジョブが完了していないと判定された場合は、制御はステップＳ１０４０に戻る。ステップＳ１０６０において、印刷ジョブが完了したと判定された場合は、このプログラムは終了する。
【００４８】
このプログラムはさらに、ステップＳ１０１０において、カウント分割設定がオンでないと判定された場合に実行され、ユーザの操作に応じて、印刷ジョブ（通常ジョブ）を実行するステップＳ１０７０と、ステップＳ１０７０の後に実行され、ジョブ実行ユーザに対してカウントを実行するステップＳ１０８０と、ステップＳ１０８０の後に実行され、印刷ジョブが完了したか否かを判定し、判定結果に応じて制御の流れを分岐させるステップＳ１０９０とを含む。ステップＳ１０９０において、印刷ジョブが完了していないと判定された場合は、制御はステップＳ１０７０に戻る。ステップＳ１０９０において、印刷ジョブが完了したと判定された場合は、このプログラムは終了する。
【００４９】
［動作］
本実施の形態に係る画像形成装置１００は以下のように動作する。以下の説明では、画像形成装置１００の動作の内、本発明に関連する部分のみを説明する。他の動作は従来の画像形成装置の動作と同様である。
【００５０】
画像形成装置１００は、ユーザのログイン操作に応じて認証処理を実行する。ユーザ認証が正常に行なわれると（ステップＳ１０００においてＹＥＳ）、ユーザは画像形成装置１００にログインして印刷ジョブを実行することが可能となる。ユーザによってネットワークプリントモードが選択されると、画像形成装置１００は図３に示されるネットワークプリント画面２００をタッチパネルディスプレイ１２２に表示する。画像形成装置１００は、ネットワークＩ／Ｆ１８０及びネットワーク５０を介してサーバ装置と通信し、当該サーバ装置に保存されている印刷ファイルの一覧を領域２１０に表示する。ユーザの操作によってチェックボックス２２０にチェックが入れられると、画像形成装置１００はチェックが入れられた印刷ファイルを、印刷を実行するファイルに指定する。一方、ユーザによってコピーモードが選択されると、画像形成装置１００は図４に示されるコピー画面３００をタッチパネルディスプレイ１２２に表示する。コピーモードでは、コピー（複写）を行なう原稿が画像形成装置１００にセットされる。
【００５１】
画像形成装置１００は、「分割カウント」キー２５０又は「分割カウント」キー３２０のユーザによる入力を受付けるとカウント分割設定をオンにする（ステップＳ１０１０においてＹＥＳ）。画像形成装置１００は、「分割カウント」キー２５０又は「分割カウント」キー３２０が操作されたことに応答して、タッチパネルディスプレイ１２２に図５に示される設定画面４００を表示する。ログインしているユーザ以外の他のユーザが、自身が所持する認証用カードをカード読取部１７２にかざすと、画像形成装置１００は、認証用カードからユーザ情報を読取り認証処理を実行する。ユーザ認証が正常に行なわれると、画像形成装置１００は、認証してユーザをカウント対象ユーザとして設定する（ステップＳ１０２０）。画像形成装置１００は、ユーザによる「終了」キー４３０の入力を受付けると、カウント対象ユーザの設定を終了して（ステップＳ１０３０においてＹＥＳ）、タッチパネルディスプレイ１２２の表示を元に戻す。具体的には、設定画面４００の表示がネットワークプリント画面２００における「分割カウント」キー２５０の操作によって行なわれた場合は、「終了」キー４３０の入力によってネットワークプリント画面２００が表示される。設定画面４００の表示がコピー画面３００における「分割カウント」キー３２０の操作によって行なわれた場合は、「終了」キー４３０の入力によってコピー画面３００が表示される。
【００５２】
画像形成装置１００は、ネットワークプリント画面２００において、ユーザによる「印刷」キー２３０の入力を受付けると、指定した印刷ファイルの印刷処理（印刷ジョブ）を実行する。画像形成装置１００はまた、コピー画面３００において、ユーザによる「スタート」キー３１０の入力を受付けると、セットされている原稿のコピー印刷処理（印刷ジョブ）を実行する。
【００５３】
カウント分割設定がオンにされていると、画像形成装置１００は分割カウントジョブを実行する（ステップＳ１０４０）。画像形成装置１００は、画像形成部１５０を制御して記録用紙に画像を形成し、印刷された記録用紙を排紙トレイに排出する。画像形成装置１００は、印刷された記録用紙の出力枚数をカウントする。分割カウントジョブが実行されている場合、画像形成装置１００は、分割カウントを実行する（ステップＳ１０５０）。すなわち、画像形成装置１００は、ログインしているユーザ（ジョブ実行ユーザ）に対してのみ出力枚数のカウントを行なうのではなく、カウント対象ユーザとして設定されたユーザに対しても出力枚数のカウントの一部が付加されるよう、分割して出力枚数をカウントする。より具体的には、画像形成装置１００は、ジョブ実行ユーザ及びカウント対象ユーザに対して出力枚数を順にカウントする。
【００５４】
図６を参照して、例えばドキュメントを必要とするユーザが５人あり、１つの印刷ジョブの実行によって５人分（例えば５０枚）の印刷を行なうものとする。ジョブ実行ユーザ以外の４人のユーザがカウント対象ユーザとして設定されている場合、分割カウントジョブの実行によって、ジョブ実行ユーザ及びカウント対象ユーザの５人のユーザに分割して出力枚数がカウントされる。印刷ジョブの実行による出力枚数のカウントは、各ユーザに対して１０カウントずつ行なわれる。これにより、出力枚数の負担（カウントの負担）が複数のユーザに分担される。
【００５５】
図７を参照して、こうした分割カウント機能を備えない従来の画像形成装置では、ドキュメントを必要とするユーザが５人ある場合であっても、印刷ジョブの実行による出力枚数のカウントはジョブ実行ユーザに対してのみ行なわれる。したがって、印刷ジョブの実行による出力枚数のカウントは、ジョブ実行ユーザに対して５０カウント行なわれる。
【００５６】
カウント分割設定がオンにされていない場合（ステップＳ１０１０においてＮＯ）、画像形成装置１００は通常の印刷ジョブを実行し（ステップＳ１０７０）、ジョブ実行ユーザに対して出力枚数のカウントを実行する（ステップＳ１０８０）。
【００５７】
［作用・効果］
以上の説明から明らかなように、本実施の形態に係る画像形成装置１００を利用することにより、以下に述べる効果を奏する。
【００５８】
画像形成装置１００は、ユーザ認証装置１７０によってユーザを認証し、認証したユーザからの指示に応じて印刷ジョブを実行する。カウント分割設定がオンにされることによって、印刷ジョブを実行する前に、出力枚数の負担を分担するユーザであるカウント対象ユーザが設定される。印刷ジョブが実行されると、ジョブ実行ユーザ及びカウント対象ユーザに対して出力枚数がカウントされるよう、分割して出力枚数がカウントされる。印刷された記録用紙の出力枚数は、ジョブ実行ユーザに対してのみカウントされるのではなく、カウント対象ユーザに対してもカウントされる。そのため、出力枚数のカウントは、ジョブ実行ユーザ及びカウント対象ユーザに分割して付加される。出力枚数の負担がジョブ実行ユーザ及びカウント対象ユーザに分散されるため、ジョブ実行ユーザにのみ出力枚数のカウント負担が掛かるのを抑制できる。例えば会議等において参加者に資料を配付する場合であっても、分割カウントを行なうことによって、主催者ユーザにのみ出力枚数のカウント負担が掛かるのを抑制できる。
【００５９】
（第２の実施の形態）
本実施の形態に係る画像形成装置は、カウント対象ユーザを設定する設定方法を複数種類備える点において、第１の実施の形態に係る画像形成装置１００と異なる。その他の点では、各画像形成装置は同一の構成である。
【００６０】
図８を参照して、本実施の形態に係る画像形成装置では、タッチパネルディスプレイに表示される設定項目画面５００を介して各種設定が行なわれる。設定項目画面５００には、分割カウント機能の設定を行なうための分割カウント設定タブ５１０が設けられている。分割カウント設定タブ５１０の画面において、カウント対象ユーザを設定するユーザ設定方法を選択することが可能とされている。
【００６１】
ユーザ設定方法は、認証用カードを用いて設定する方法、キー入力により設定する方法、リストからユーザを選択して設定する方法、及びリストからグループを選択して設定する方法を含む。分割カウント設定タブ５１０の画面は、ユーザ設定方法を選択する際にチェックが入れられるチェックボックス５２０を含む。ユーザ設定方法は、少なくとも１つが選択され、複数の方法を選択することも可能である。なお、いずれの方法においても、カウント対象ユーザに設定されるユーザは、画像形成装置にログインすることが可能なユーザである。
【００６２】
認証用カードを用いる方法が選択されている場合は、第１の実施の形態で示した方法と同様にしてカウント対象ユーザが設定される。キー入力により設定する方法が選択されていると、カウント対象ユーザの設定時に図９に示す設定画面４４０が表示される。図９を参照して、設定画面４４０には「追加」キー４４２がさらに表示される。ユーザによって「追加」キー４４２が操作されると、図１０に示される入力画面６００がタッチパネルディスプレイに表示される。図１０を参照して、入力画面６００は、ユーザＩＤを入力する領域６１０、パスワードを入力する領域６２０、「ＯＫ」キー６３０及び「リセット」キー６４０を含む。ユーザＩＤを入力する領域６１０には、図示しない入力キーを用いてユーザＩＤが入力される。パスワードを入力する領域６２０には、図示しない入力キーを用いてパスワードが入力される。「ＯＫ」キー６３０が操作されると、画像形成装置は、入力されたユーザＩＤ及びパスワードに基づいてユーザ認証を行ない、正常に認証されると認証されたユーザをカウント対象ユーザに設定する。「リセット」キー６４０が操作されると、領域６１０に入力されたユーザＩＤ、及び領域６２０に入力されたパスワードがリセットされる。
【００６３】
リストからユーザを選択して設定する方法が選択されていると、カウント対象ユーザの設定時に図１１に示す設定画面４５０が表示される。図１１を参照して、設定画面４５０には「リスト表示」キー４５２がさらに表示される。画像形成装置には、ジョブ実行ユーザ（ログインユーザ）の権限に基づいて、カウント対象ユーザに設定することが可能なユーザが予め設定されており、設定可能なユーザのリストが記憶されている。「リスト表示」キー４５２がジョブ実行ユーザによって操作されると、画像形成装置は、当該ジョブ実行ユーザが設定可能なユーザのリスト（図示せず。）を表示する。ジョブ実行ユーザは表示されたリストからユーザを指定することによって、指定したユーザをカウント対象ユーザに設定できる。画像形成装置は、ジョブ実行ユーザによるユーザを指定する入力を受付けると、ジョブ実行ユーザによって指定されたユーザをカウント対象ユーザに設定する。
【００６４】
リストからグループを選択して設定する方法が選択されていると、カウント対象ユーザの設定時に図１２に示す設定画面４６０が表示される。図１２を参照して、設定画面４６０には「リスト表示」キー４６２がさらに表示される。画像形成装置には、カウント対象とするユーザのグループが予め作成されており、作成されたグループのリストが記憶されている。「リスト表示」キー４６２がジョブ実行ユーザによって操作されると、画像形成装置は、予め作成されたグループのリスト（図示せず。）を表示する。ジョブ実行ユーザは表示されたリストからグループを指定することによって、指定したグループのユーザをカウント対象ユーザに設定できる。画像形成装置は、ジョブ実行ユーザによるグループを指定する入力を受付けると、ジョブ実行ユーザによって指定されたグループのユーザをカウント対象ユーザに設定する。
【００６５】
このように、本実施の形態に係る画像形成装置は、カウント対象ユーザを設定する設定方法を複数種類備える。これにより、分割カウント機能の利用シーンを広げることができる。例えば、キー入力により設定する方法を選択することによって、カウントを分担する他のユーザが認証用カードを持参していない場合であっても、当該他のユーザをカウント対象ユーザに設定できる。さらに、リストからユーザを選択して設定する方法を選択することによって、カウントを分担する他のユーザが近くにいない状況においても、ジョブ実行ユーザの権限に基づいてカウント対象ユーザを設定できる。さらに、リストからグループを選択して設定する方法を選択することによって、カウント対象ユーザが多い場合でも、容易にカウント対象ユーザを設定できる。
【００６６】
（第３の実施の形態）
本実施の形態に係る画像形成装置は、ジョブ実行ユーザ及びカウント対象ユーザに対して重み付けが設定され、設定された重み付けに応じて分割カウントを行なう点において、第１の実施の形態に係る画像形成装置１００と異なる。その他の点では、各画像形成装置は同一の構成である。
【００６７】
図１３を参照して、本実施の形態に係る画像形成装置では、カウント対象ユーザの設定時に設定画面４７０が表示される。設定画面４７０には「詳細設定」キー４７２がさらに表示される。ユーザによって「詳細設定」キー４７２が操作されると、図１４に示される重み付け設定画面７００がタッチパネルディスプレイに表示される。図１４を参照して、重み付け設定画面７００は、ジョブ実行ユーザ及びカウント対象ユーザのユーザ名を表示する領域７１０、各ユーザに対して重み付けを設定する領域７２０、「ＯＫ」キー７３０、及び「キャンセル」キー７４０を含む。領域７２０には例えば各ユーザに対する割合が重み付けとして入力される。デフォルトでは割合は均等となっており、重み付け設定画面７００においてこれらの割合を変更できる。「ＯＫ」キー７３０が操作されると、設定した重み付けが確定される。「キャンセル」キー７４０が操作されると、設定された重み付けはキャンセルされ、デフォルト（均等）に戻る。
【００６８】
重み付けが設定されると、画像形成装置は設定された重み付けに応じて、ジョブ実行ユーザ及びカウント対象ユーザに対して、出力枚数をカウントする。例えば、カウント対象ユーザに４人のユーザが設定されており、印刷ジョブの実行によって９０枚の印刷を行なう場合を考える。ジョブ実行ユーザの割合を６０％、４人のカウント対象ユーザの割合をそれぞれ１０％に設定した場合、印刷ジョブの実行による出力枚数の分割カウントは、ジョブ実行ユーザに対して５４カウント（＝９０枚×０．６）、４人のカウント対象ユーザに対してそれぞれ９カウント行なわれる。
【００６９】
このように、ジョブ実行ユーザ及びカウント対象ユーザに対して重み付けを設定することによって、例えば権限、又は役職等に応じて出力枚数のカウントを行なうことができる。
【００７０】
（第４の実施の形態）
本実施の形態に係る画像形成装置は、分割カウントジョブの実行時に印刷制限枚数に達した場合に、その後どのように動作させるかを設定できる点において、第１の実施の形態に係る画像形成装置１００と異なる。その他の点では、各画像形成装置は同一の構成である。
【００７１】
図１５を参照して、本実施の形態に係る画像形成装置では、タッチパネルディスプレイに表示される設定項目画面８００を介して各種設定が行なわれる。設定項目画面８００には、分割カウント機能の設定を行なうための分割カウント設定タブ８１０が設けられている。分割カウント設定タブ８１０の画面において、対象ユーザが印刷制限枚数に達した場合の動作（処理）を設定することが可能とされている。
【００７２】
画像形成装置には、ユーザ毎に印刷制限枚数が設定されている。出力枚数が印刷制限枚数に達すると、そのユーザは印刷出力が制限される。分割カウントの場合、ジョブ実行ユーザ及びカウント対象ユーザに対して、出力枚数がカウントされる。ジョブ実行ユーザ又はカウント対象ユーザのカウント値が印刷制限枚数に達した場合、印刷制限枚数に達したユーザに対して出力枚数をカウントすることができなくなる。画像形成装置は、ジョブ実行ユーザ又はカウント対象ユーザのカウント値が印刷制限枚数に達した場合、分割カウント設定タブ８１０の画面において設定された処理を実行する。
【００７３】
印刷制限枚数に達した場合に実行する処理は、「印刷ジョブを停止する」処理、及び「印刷制限枚数に達したユーザを除いてカウント分割を実行する」処理を含む。分割カウント設定タブ８１０の画面は、これらの処理のいずれかを選択するためのラジオボタン８２０を含む。
【００７４】
「印刷ジョブを停止する」処理が選択されている場合、画像形成装置は、分割カウントジョブの実行時において、ジョブ実行ユーザ及びカウント対象ユーザのうちのいずれかのユーザのカウント値が印刷制限枚数に達すると、実行している印刷ジョブを停止する。一方、「制限枚数に達したユーザを除いてカウント分割を実行する」処理が選択されている場合、画像形成装置は、分割カウントジョブの実行時において、ジョブ実行ユーザ及びカウント対象ユーザのうちのいずれかのユーザのカウント値が印刷制限枚数に達すると、印刷制限枚数に達したユーザを除いて分割カウントを実行（継続）する。
【００７５】
（第５の実施の形態）
本実施の形態に係る画像形成装置は、分割カウントジョブの実行時に、ジョブ実行ユーザ及びカウント対象ユーザに対して出力枚数を均等にカウントできない場合の動作、すなわち端数がでる場合の動作を設定できる点において、第１の実施の形態に係る画像形成装置１００と異なる。その他の点では、各画像形成装置は同一の構成である。
【００７６】
図１６を参照して、本実施の形態に係る画像形成装置では、タッチパネルディスプレイに表示される設定項目画面９００を介して各種設定が行なわれる。設定項目画面９００には、分割カウント機能の設定を行なうための分割カウント設定タブ９１０が設けられている。分割カウント設定タブ９１０の画面において、端数がでる場合の動作（処理）を設定することが可能とされている。
【００７７】
端数がでる場合の処理は、「指定した優先順位の高い対象ユーザからカウントを開始する」処理、及び「残使用可能枚数の多い対象ユーザから順にカウントを開始する」処理を含む。分割カウント設定タブ９１０の画面は、これらの処理のいずれかを選択するためのラジオボタン９２０を含む。
【００７８】
「指定した優先順位の高い対象ユーザからカウントを開始する」処理が選択されている場合、カウント対象ユーザを設定する設定画面において優先順位を指定（設定）することが可能となる。この処理が選択されている場合、カウント対象ユーザの設定時に図１７に示す設定画面４８０が表示される。図１７を参照して、設定画面４８０はジョブ実行ユーザ及びカウント対象ユーザに対して優先順位を設定するための領域４８２をさらに含む。画像形成装置は、印刷ジョブの実行時に、ジョブ実行ユーザ及びカウント対象ユーザに対して、設定された優先順位の順に出力枚数の分割カウントを実行する。
【００７９】
「残使用可能枚数の多い対象ユーザから順にカウントを開始する」処理が選択されている場合、画像形成装置は、ジョブ実行ユーザ及びカウント対象ユーザの残使用可能枚数を読出して、残使用可能枚数の多いユーザ順にカウントを行なう順番を設定する。画像形成装置は、印刷ジョブの実行時に、ジョブ実行ユーザ及びカウント対象ユーザに対して、設定した順に出力枚数の分割カウントを実行する。
【００８０】
（変形例）
上記実施の形態では、画像形成装置の一例である複合機に本発明を適用した例について示したが、本発明はそのような実施の形態には限定されない。ユーザ認証機能を備え、ユーザ毎に出力枚数を管理する画像形成装置であれば、複合機以外の画像形成装置に本発明を適用することもできる。
【００８１】
上記実施の形態では、認証用カードを用いてユーザ認証（ログイン処理）を行なう例について示したが、本発明はそのような実施の形態には限定されない。例えば、画像形成装置の起動時にログイン画面を表示して、そのログイン画面にユーザＩＤ及びパスワード等を入力することによってユーザ認証を行なう構成であってもよい。さらに、生体認証装置を備えることによって、生体認証によってユーザ認証を行なう構成であってもよい。
【００８２】
上記実施の形態では、ネットワークプリント画面及びコピー画面等のジョブ実行画面に「分割カウント」キーを表示し、当該「分割カウント」キーの操作によって分割カウントをオンに設定する例について示したが、本発明はそのような実施の形態には限定されない。例えば、ジョブ実行画面とは別の画面（機能設定画面等）において、分割カウントをオンに設定する構成であってもよい。さらに、例えば、印刷部数が複数部数設定されたことに応答して、分割カウントの設定がオンにされる構成であってもよいし、印刷部数が複数部数設定されたことに応答して、「分割カウント」キーが表示又は有効化される構成であってもよい。
【００８３】
上記実施の形態では、ユーザが画像形成装置にログインした後に、分割カウントの設定が可能となる例について示したが、本発明はそのような実施の形態には限定されない。ユーザが画像形成装置にログインする前に、分割カウントを設定可能としてもよい。例えば、ログイン画面に「分割カウント」キーを表示し、当該「分割カウント」キーの操作によって複数のユーザがログイン可能な画面に遷移する構成としてもよい。遷移後の画面において複数のユーザがログインすると、ログインした複数のユーザに対して、分割して出力枚数をカウントする構成とすることができる。
【００８４】
上記実施の形態では、ジョブ実行前にカウント対象ユーザを設定して分割カウントを実行する例について示したが、本発明はそのような実施の形態には限定されない。例えばジョブ実行後にカウント対象ユーザを設定して、ジョブ実行ユーザに対してカウントされた出力枚数を複数のユーザで分担するようにしてもよい。より具体的には、例えば、カウントを分割するジョブを履歴から選択して、ジョブ実行後に設定した対象ユーザ及びジョブ実行ユーザに対してカウントを配分するようにしてもよい。
【００８５】
上記第１の実施の形態では、認証用カードをカード読取部にかざすことによってカウント対象ユーザを設定する例について示したが、カウント対象ユーザの設定は他の方法を用いて行なうようにしてもよい。例えば、上記第２の実施の形態で示した設定方法のいずれかを用いてカウント対象ユーザを設定するようにしてもよい。
【００８６】
上記第４の実施の形態では、分割カウントジョブの実行時に印刷制限枚数に達した場合に、その後どのように動作させるかを予め設定しておく例について示したが、本発明はそのような実施の形態には限定されない。例えば、分割カウントジョブの実行時に印刷制限枚数に達した場合に、そのことをユーザに通知する通知画面をポップアップ表示し、その通知画面において印刷制限枚数に達した場合の動作を設定（選択）するよう構成してもよい。
【００８７】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００８８】
１００                  画像形成装置
１１０                  制御部
１２０                  操作ユニット
１３０                  原稿読取部
１４０                  画像処理部
１５０                  画像形成部
１６０                  給紙部
１７０                  ユーザ認証装置
１７２                  カード読取部
２００                  ネットワークプリント画面
３００                  コピー画面
４００                  設定画面
【図１】
0006325932.tif 000002
【図２】
0006325932.tif 000003
【図３】
0006325932.tif 000004
【図４】
0006325932.tif 000005
【図５】
0006325932.tif 000006
【図６】
0006325932.tif 000007
【図７】
0006325932.tif 000008
【図８】
0006325932.tif 000009
【図９】
0006325932.tif 000010
【図１０】
0006325932.tif 000011
【図１１】
0006325932.tif 000012
【図１２】
0006325932.tif 000013
【図１３】
0006325932.tif 000014
【図１４】
0006325932.tif 000015
【図１５】
0006325932.tif 000016
【図１６】
0006325932.tif 000017
【図１７】
0006325932.tif 000018